(57)【要約】【課題】本発明では、患者が患者用寝巻パンツを着用したままでも、ドレーンの屈曲による閉塞をなくし、胸腔、腹腔内等に貯留した血液や膿等の体外への排出を円滑に行うことができる患者用寝巻パンツを提供することを目的とする。【解決手段】上記課題解決をするために、腰部のサイズを調整する調整手段を設けた患者用寝巻パンツであって、脇線から正中線に向けて腰幅長さの略１５％の位置に、腰部から裾部に向けて設けられたスリットと、前記スリットによって分離された前面部と後面部とのそれぞれに設けられ、分離された前記前面部と前記後面部とを係止可能にするボタン部材とを備えていることを特徴とする。【選択図】図１
2011256499.tif 000002
【特許請求の範囲】
【請求項１】
腰部のサイズを調整する調整手段を設けた患者用寝巻パンツであって、
脇線から正中線に向けて腰幅長さの略１５％の位置に、腰部から裾部に向けて設けられたスリットと、
前記スリットによって分離された前面部と後面部とのそれぞれに設けられ、分離された前記前面部と前記後面部とを係止可能にするボタン部材と
を備えた患者用寝巻パンツ。
【発明の詳細な説明】
【技術分野】
【０００１】
本発明は、患者用寝巻パンツに関する。
【背景技術】
【０００２】
従来より、着脱が容易にできるように、パンツの一部が開閉できるものが知られている。図５を参照して、特許文献１において、ズボン１０１と上着とからなる患者用寝巻であって、前記ズボン１０１のウェスト部１０２が伸縮可能なバンドによって構成され、このウェスト部１０２の少なくとも一部に不連続部１０３が形成されているとともに、この不連続部１０３に面ファスナ１０６が設けられて接離可能となされ、また、前記不連続部１０３から下方へ向かい、かつ、少なくとも股上部１０７の全長に亙る切り込み１０４が形成され、この切り込み１０４にスライドファスナ１０５が取り付けられていることにより、前記股上部１０７が大きく開放可能に構成されていることを特徴とする患者用寝巻が知られている。
【０００３】
また、図６を参照して、特許文献２において、トランクス本体２０１の両前身頃２０２Ｂの中央をウエスト部より脚部にかけ切り開き、開口部にボタン２０３と面ファスナー２０４を設けて、止めることが出来るようにした介護用下着の開閉式トランクスが知られている。
【先行技術文献】
【特許文献】
【０００４】
【特許文献１】実用新案登録３０４２６３２号
【特許文献２】特開２０００−１７５０１号
【発明の概要】
【発明が解決しようとする課題】
【０００５】
外科手術に関連して、胸腔、腹腔等に管状器材（以下、ドレーンと言う）を挿入して、体腔内に貯留した血液や膿等を体外に誘導し排出する処置が行われる場合がある。
【０００６】
上記の処置を受けた場合、従来の患者用寝巻パンツによれば、ドレーンが、着用した患者用寝巻パンツにより圧迫されたり患者が動いた時に屈曲することがある。ドレーンが屈曲により閉塞すると、腹腔内等に貯留した血液や膿等の体外への排出が阻害され患者が合併症を引き起こしたり、創傷治癒が妨げられる問題があった。
【０００７】
また、上記事情を回避するために、ドレーン挿入部において、患者用寝巻パンツをずらしておく必要があり、患者に不快感を与える問題があった。
【０００８】
本発明では、患者が患者用寝巻パンツを着用したままでも、ドレーンの屈曲による閉塞をなくし、胸腔、腹腔内等に貯留した血液や膿等の体外への排出を円滑に行うことができる患者用寝巻パンツを提供することを目的とする。
【課題を解決するための手段】
【０００９】
上記課題解決をするために、腰部のサイズを調整する調整手段を設けた患者用寝巻パンツであって、脇線から正中線に向けて腰幅長さの略１５％の位置に、腰部から裾部に向けて設けられたスリットと、前記スリットによって分離された前面部と後面部とのそれぞれに設けられ、分離された前記前面部と前記後面部とを係止可能にするボタン部材とを備えていることを特徴とする。
【発明の効果】
【００１０】
本発明によれば、患者が患者用寝巻パンツを着用したままでも、ドレーンの屈曲による閉塞をなくし、腹腔内等に貯留した血液や膿等の体外への排出を円滑に行うことができる。
【図面の簡単な説明】
【００１１】
【図１】本願発明に係る患者用寝巻パンツのスリットを開放した図である。
【図２】同患者用寝巻パンツの全体正面図である。
【図３】患者の仰臥位腹部におけるドレーン挿入部位を示す図である。
【図４】同患者用寝巻パンツ患者が着用時の、胴体短手方向断面の拡大図である。
【図５】従来例の、患者用寝巻の要部を表す正面図である。
【図６】別の従来例の、介護用下着の開閉式トランクスの全体正面図である。
【発明を実施するための形態】
【００１２】
以下に、本願の実施形態を図面を参照しながら説明する。なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００１３】
図１及び図２を参照して、患者用寝巻パンツ１を説明する。図１は患者用寝巻パンツ１のスリット５を開放した図であり、図２は患者用寝巻パンツ１の全体正面図である。患者用寝巻パンツ１は、前面部２、後面部３、調整部材４、ボタン部材６を備える。前面部２と後面部３とは、内股部分で縫製され結合しており、外股部分で前面部２及び後面部３の双方に設けられたボタン部材６により係止され、患者用寝巻パンツ１の基本部分を構成する。ボタン部材６は、略脇線８部分における、前面部２及び後面部３それぞれに腰部７から裾部９方向に沿って、患者用寝巻パンツ１の長手方向と略平行に設けられている。ボタン部材６の係止または係止解除により前面部２と後面部３とが分離し、この部分がスリット５になる。調整部材４は、腰部７の患者胴体部短手方向に設けられており、紐部材４０等を併用して設けてもよい。
【００１４】
図２を参照する。前面部２のボタン部材６（図１参照）と、後面部３のボタン部材６（図１参照）とを係止して、前面部２を上にして展開した状態において、患者胴体短手方向の腰部７の幅を腰幅１１と言うことにし、腰幅１１の中点から、患者胴体長手方向へ伸ばした垂線を正中線１０と言うことにする。
【００１５】
スリット５は、正中線１０側の前面部２が脇線８側の後面部３に上方から重なって、ボタン部材６により係止され閉鎖状態となる。一方、スリット５は、前面部２及び後面部３に設けられたボタン部材６の係止解除により、開放状態となる。つまり、後面部３と係止解除された前面部２は、正中線１０を対称軸としてはだけるようになっている。患者用寝巻パンツ１は、スリット５を完全に又は一部、閉鎖した状態で使用される。なお、図２のように、スリット５は、腰部７から裾部９まで設けられているが、腰部７から膝部１９まで設けた構成としてもよい。
【００１６】
ボタン部材６同士の間に、胸腔、腹腔等に挿入した体腔内に貯留した血液や膿を体外に排出するドレーン１７を通すことができる。ボタン部材６同士の間隔は、ドレーン１７を通すことができ、同時に固定することができる間隔であれば良い。一般的なドレーン１７の外径は０．８ｃｍ〜１．０ｃｍであるので、ボタン部材６同士の間隔は、具体的には２ｃｍ以上６ｃｍ以下であればよく、更には２ｃｍ以上４ｃｍ以下が好適である。
【００１７】
図３は、患者仰臥位腹部におけるドレーン挿入部位を示す図である。図３を参照して、患者１３の腹腔等にドレーンが挿入される位置を説明する。患者正中線１４から、患者正中線１４―腰部末端１５間隔の２／３の部位には、腹壁動静脈が走行するため、この範囲にドレーン１７（図４参照）が挿入されることはほとんどない。つまり、腰部末端１５から、患者正中線１４―腰部末端１５間隔の１／３の長さの範囲内（図３斜線部）にドレーン１７は挿入される。該部分を、ドレーン挿入部位１６と言うことにする。ドレーン挿入部位１６において、ドレーン１７は体表面から略脊椎１８（図４参照）方向へと挿入される。
【００１８】
図４は、患者用寝巻パンツ１を患者が着用時の、胴体短手方向断面の拡大図である。図３及び図４を参照して、体型に応じたサイズの患者用寝巻パンツ１は患者の体にフィットしているので、患者用寝巻パンツ１と患者１３の体の該当部分とは、略相似関係にある。つまり、患者用寝巻パンツ１の、脇線８、正中線１０、及び腰幅１１の位置関係は、患者１３の、腰部末端１５、患者正中線１４、及び左右腰部末端１５間隔（患者正中線１４−腰部末端１５間隔の２倍に相当）の位置関係に、対応する。
【００１９】
従って、患者用寝巻パンツ１のスリット５が設けられる位置である、脇線８から正中線１０に向けて腰幅１１長さの１５％の位置は、ドレーン１７の挿入位置である、腰部末端１５から患者正中線１４―腰部末端１５間隔の１／３の長さの位置、言い換えると、左右腰部末端１５間隔（患者正中線１４−腰部末端１５間隔の２倍に相当）の１／６（約１６％）の長さの位置、に略対応すると言える。
【００２０】
上述したように、スリット５を閉じた状態では、正中線１０側の前面部２が、脇線８側の後面部３に上方から重なっている。下腹部に挿入されたドレーン１７は、体内への挿入部から患者正中線１４方向へ一端延出し、その後前面部２と後面部３とを係止するボタン部材６（図１参照）同士の間から、側臥位方向または下半身方向に延出する。つまり、図４に示されたように、ドレーン１７の挿入部位は、緩やかな曲線形状になり屈曲がないので、腹腔内等に貯留した血液や膿等の体外への排出を円滑に行うことができる。
【００２１】
言い換えると、患者用寝巻パンツ１からドレーン１７を取り出す際には、体表面と患者用寝巻パンツ１との間で、一度取り出し方向と逆方向にドレーン１７を取り回すことで、穏やかな曲線形状を可能にできる。
【００２２】
従って、スリット５の位置は、ドレーン１７挿入部よりも患者正中線１４側にあることが必要である。ドレーン１７の挿入部位は、ドレーン挿入部位１６に限定されるので、スリット５が脇線８から正中線１０に向けて腰幅１１長さの１５％の位置に設けられていれば、ドレーン１７の取り回しは必然的に上記のような形状になるからである。
【００２３】
具体的には、スリット５は、脇線８から正中線１０に向けて腰幅１１長さの１５％の位置より正中線１０側に、腰部７から裾部９に向けて設けられていればよい。
【００２４】
好適には、スリット５は、脇線８から正中線１０に向けて腰幅１１長さの１５％の位置に、腰部７から裾部９に向けて設けられていればよい。
【００２５】
本実施形態によれば、ドレーン１７が屈曲せず閉塞しないので、ドレーン内に溜まった血液や膿等が滞留しないので、合併症の誘発、及び創傷治癒の阻害をなくすことができる。
【００２６】
また、ドレーン１７が屈曲せず閉塞しないので、ドレーン１７の患者１３の挿入部位から、滞留した血液や膿などの漏出がなく、ガーゼ交換などの処置の回数を減らすことができ、医療現場の作業効率を向上することができる。
【００２７】
また、ドレーン１７が屈曲せず閉塞しない状態に固定されており、ドレーン１７を挿入したまま患者が寝起したり、歩行しても胸腔内、腹腔内等に貯留した血液や膿等の体外への排出を阻害しないので、患者の動作の自由度を大きくすることができる。
【００２８】
また、ドレーン１７を側腹部から出さないので、患者が側臥位になったとき、痛みがないとともに、ドレーン１７が潰れて閉塞することを防止できる。
【００２９】
また、胸部等の上半身にドレーン１７を挿入した場合であっても、スリットの係止部材間にドレーン１７を通し固定できるので、歩行時におけるドレーン１７の揺動をなくし、安全に歩行でき、同時に、ドレーンの屈曲による閉塞をなくし、腹腔内等に貯留した血液や膿等の体外への排出を円滑に行うことができる。
【産業上の利用可能性】
【００３０】
本発明は、患者用寝巻パンツに関して有用である。
【符号の説明】
【００３１】
１              患者用寝巻パンツ
２              前面部
３              後面部
４              調整部材
５              スリット
６              ボタン部材
７              腰部
８              脇線
９              裾部
１０            正中線
１１            腰幅
１３            患者
１４            患者正中線
１５            腰部末端
１６            ドレーン挿入部位
１７            ドレーン
１８            脊椎
１９            膝部
１０１          ズボン
１０２          ウェスト部
１０３          不連続部
１０４          切り込み
１０５          スライドファスナ
１０６          面ファスナ
１０７          股上部
２０１          トランクス本体
２０２Ａ        後ろ身頃
２０２Ｂ        前身頃
２０３          ボタン
２０４          面ファスナー
【図１】
2011256499.tif 000003
【図２】
2011256499.tif 000004
【図３】
2011256499.tif 000005
【図４】
2011256499.tif 000006
【図５】
2011256499.tif 000007
【図６】
2011256499.tif 000008